(57)【要約】【課題】  外乱材侵入防止用ダイヤフラムの取付けが簡単な秤を提供する。【解決手段】  計量皿１０と、計量皿１０の下部に連結された皿軸受け７と、皿軸受け７を介して計量皿１０と連結された荷重検出機構５と、荷重検出機構５を支持する下ケース２と、下ケース２に対向して設置され荷重検出機構５を覆うとともに開口部３ｄを有する上ケース３と、上ケース３の開口部３ｄを覆い水や塵埃等の外乱材の侵入を防止するダイヤフラム８とを備えた秤であって、ダイヤフラム８は、皿軸受け７が密着状態で貫通する通し孔８ａと、通し孔８ａの外周に設けられた蛇腹８ｂと、蛇腹８ｂの外周に設けられ、上ケース３に密着ないし圧着して取付けられる基部８ｃとを有することを特徴とする。【選択図】図４
2005140626.tif 000002
【特許請求の範囲】
【請求項１】
計量皿と、前記計量皿の下部に連結された皿軸受けと、前記皿軸受けを介して前記計量皿と連結された荷重検出機構と、前記荷重検出機構を支持する下ケースと、前記下ケースに対向して設置され前記荷重検出機構を覆うとともに開口部を有する上ケースと、前記上ケースの開口部を覆い水や塵埃等の外乱材の侵入を防止するダイヤフラムとを備えた秤であって、
前記ダイヤフラムは、
前記皿軸受けが密着状態で貫通する通し孔と、
前記通し孔の外周に設けられた蛇腹と、
前記蛇腹の外周に設けられ、前記上ケースに密着ないし圧着して取付けられる基部と、
を有することを特徴とする秤。
【請求項２】
前記ダイヤフラムの基部は、環状突起を下面に有しており、
前記環状突起は、前記上ケースに形設された環状溝に密着状態で嵌着される
ことを特徴とする請求項１に記載の秤。
【請求項３】
前記ダイヤフラムは、前記基部から延在する突片を備え、
前記突片は、前記上ケースに形設された凹溝に密着状態で嵌着される
ことを特徴とする請求項１又は請求項２に記載の秤。
【請求項４】
前記上ケースの凹溝は、前記上ケースと前記下ケースとを固定するネジの取付孔を貫通形成しており、
前記ダイヤフラムの突片は、前記ネジ及び前記取付孔を上方から封止する筒状の凸部を有する
ことを特徴とする請求項３に記載の秤。
【請求項５】
前記秤は、前記上ケースを覆うカバーを備え、
前記ダイヤフラムの基部は、
前記カバーと接触する突起を上面に有し、上方からネジにより前記カバーと前記上ケースとを固定する際に前記上ケースに圧着する
ことを特徴とする請求項１から請求項４のいずれかに記載の秤。
【請求項６】
前記秤の皿軸受けは、外周に形設された環状凹溝を備え、
前記ダイヤフラムの通し孔は、外周縁が起立部となっており、
前記起立部が、前記環状凹溝に密着状態で嵌着される
ことを特徴とする請求項１から請求項５のいずれかに記載の秤。
【発明の詳細な説明】
【技術分野】
【０００１】
本発明は秤に関し、特に、外乱材の侵入防止用のダイヤフラムを備えた秤に関するものである。
【背景技術】
【０００２】
ロードセル等の荷重検出機構を格納した天秤、体重計、水分計等の秤は、計量皿に連結された荷重受けの上下移動のため、必然的に荷重受けの周囲が開口した構造となり、この開口部から荷重検出機構内に水や塵埃等の外乱材が侵入する恐れがある。
【０００３】
そのため、従来の秤は、計量皿と、荷重検出機構の収容ケースとの間にダイヤフラムを介装して開口部を閉塞し、外乱材が侵入しないようにしていた（例えば、特許文献１、特許文献２参照）。
【０００４】
【特許文献１】特開平１１−２５８０３２号公報
【特許文献２】登録実用新案第２５０９０６７号公報
【発明の開示】
【発明が解決しようとする課題】
【０００５】
しかし、このように構成された秤は、ダイヤフラムの固定機構が複雑となり、又、簡単にダイヤフラムが外れないようビス等により固定しなければならず、その取付け作業が面倒であった。
【０００６】
本発明は、このような従来の問題点に鑑みてなされたものであって、その目的とするところは、ダイヤフラムを簡単に取付けることが出来、荷重検出機構を確実に外乱材の侵入から保護することが出来る秤を提供することにある。
【課題を解決するための手段】
【０００７】
上記目的を達成するため、本発明にかかる秤は、計量皿と、前記計量皿の下部に連結された皿軸受けと、前記皿軸受けを介して前記計量皿と連結された荷重検出機構と、前記荷重検出機構を支持する下ケースと、前記下ケースに対向して設置され前記荷重検出機構を覆うとともに開口部を有する上ケースと、前記上ケースの開口部を覆い水や塵埃等の外乱材の侵入を防止するダイヤフラムとを備えた秤であって、前記ダイヤフラムは、前記皿軸受けが密着状態で貫通する通し孔と、前記通し孔の外周に設けられた蛇腹と、前記蛇腹の外周に設けられ、前記上ケースに密着ないし圧着して取付けられる基部とを有するようにした。
【０００８】
このように構成した秤によれば、上ケースの開口部を覆うようにして密着ないしは圧着によりダイヤフラムが取付けられるので、ネジや被取付部材を介しての面倒な固定作業が不要となり、上ケースの開口部と皿軸受けの隙間から外乱材が荷重検出機構内に侵入することが防止される。又、ダイヤフラム取付けに際しネジを使用しないので、ネジ孔から外乱材が侵入する恐れや、ネジが錆びる恐れがない。
【０００９】
又、前記ダイヤフラムの基部は、環状突起を下面に有しており、前記環状突起は、前記上ケースに形設された環状溝に密着状態で嵌着されてもよい。
【００１０】
この構成によれば、環状溝が、基部を上ケースに密着させる際の位置決めの役割を担い、又、上ケースとダイヤフラムの密着性が高まる。
【００１１】
又、前記ダイヤフラムは、前記基部から延在する突片を備え、前記突片は、前記上ケースに形設された凹溝に密着状態で嵌着されてもよい。
【００１２】
この構成によれば、凹溝が、基部を上ケースに密着させる際の位置決めの役割を担い、又、上ケースとダイヤフラムの密着性が高まる。
【００１３】
又、前記上ケースの凹溝は、前記上ケースと前記下ケースとを固定するネジの取付孔を貫通形成しており、前記ダイヤフラムの突片は、前記ネジ及び前記取付孔を上方から封止する筒状の凸部を有していてもよい。
【００１４】
この構成によれば、ダイヤフラムの突片に設けられた凸部が上ケースと下ケースの固定用ネジを上から封止するので、ネジの取付孔から外乱材が侵入することも防止され、より完全な意味での防水、防塵が図られる。又、凸部がネジの頭を上方から封止するのでネジが錆びる恐れがなく、秤の品質、性能が長く維持される。
【００１５】
又、前記秤は、前記上ケースを覆うカバーを備え、前記ダイヤフラムの基部は、前記カバーと接触する突起を上面に有し、上方からネジにより前記カバーと前記上ケースとを固定する際に前記上ケースに圧着してもよい。
【００１６】
この構成によれば、ダイヤフラムや上ケースが外部に露出することなくカバーで覆われるので、高級感が得られる。更に、カバーと上ケースをネジ止め固定することにより、カバーと突起が弾性係合して、ダイヤフラムと上ケースとが圧着固定される。
【００１７】
又、前記秤の皿軸受けは、外周に形設された環状凹溝を備え、前記ダイヤフラムの通し孔は、外周縁が起立部となっており、前記起立部が、前記環状凹溝に密着状態で嵌着されてもよい。
【００１８】
この構成によれば、ダイヤフラムの通し孔の起立部は、確実に皿軸受けの環状凹溝内に嵌着固定されるので、ダイヤフラムの抜け外れが防止され、外乱材が侵入する恐れがない。
【発明の効果】
【００１９】
本発明にかかる秤によれば、上ケースの開口部を覆うようにして密着ないしは圧着によりダイヤフラムが取付けられるので、ネジや被取付部材を介しての面倒な固定作業が不要となり、開口部と皿軸受けの隙間から外乱材が荷重検出機構内に侵入することが防止される。又、ダイヤフラム取付けに際しネジを使用しないので、ネジ孔から外乱材が侵入する恐れや、ネジが錆びる恐れがない。
【００２０】
又、筒状の凸部を有するダイヤフラムであれば、凸部が上ケースと下ケースの固定用ネジを上方から封止することも出来、ネジの取付孔から外乱材が侵入することも防止され、より完全な意味での防水、防塵が図られる。又、ネジが錆びる恐れがなく、秤の品質、性能が長く維持される。
【発明を実施するための最良の形態】
【００２１】
以下、本発明の好適な実施の形態について、添付図面に基づいて詳細に説明する。図１〜図４は、本発明に係る秤の一実施例を示し、図１は秤１の外観斜視図、図２は秤１の分解斜視図、図３は秤１の一部組立斜視図、図４は秤１の一部縦断面図である。
【００２２】
本実施例の秤１は、図１に示すように、計量皿１０と秤本体１１により構成される。更に計量皿１０は、図２に示すように、プラットホーム１０ａと当該プラットホーム１０ａを上方から覆う上皿１０ｂで構成され、被計量物が上皿１０ｂの上面に載せられる。
【００２３】
プラットホーム１０ａは、一般的に樹脂材料で成形され、中央部にネジ１０ｃの貫通孔１０ｄを有している。
【００２４】
上皿１０ｂは、食品や農産物を直接載せる際の衛生面や洗浄等のメンテナンスのしやすさを考慮して、ステンレス等の金属材料又は、表面に金属メッキ加工が施された樹脂材料で成形されているのが望ましい。
【００２５】
秤本体１１は、図２に示すように、主として、下ケース２と上ケース３とカバー４により構成されている。下ケース２は、本実施例では合成樹脂製であり、ロードセル５と電子回路基板６を支持収容している。
【００２６】
荷重検出機構の一例が本実施例のロードセル５である。ロードセル５は、起歪体に歪みゲージ等の歪検出素子（図示せず）を貼り付けて構成され、被計量物の重量が起歪体にかかった時に生じる引っ張り歪み及び圧縮歪みを歪検出素子によって電気的に検出する。尚、荷重検出機構は、本実施例に於けるロードセル５の他、静電容量式センサー等の既存の荷重センサーでもよく、秤量、被計量物、用途等に応じて種々の選択が可能である。
【００２７】
ロードセル５は、上下可動の皿軸受け７を介して計量皿１０のプラットホーム１０ａと連結一体化される。皿軸受け７は、本実施例では、ロードセル５の上部に固定される略コ字状のベース部７ａと、上面中央部にネジ孔７ｂを有するとともに縦方向中間部に環状凹溝７ｄを有する略円柱形の頂部７ｃとを備え、射出成形等により成形された樹脂部品である。計量皿１０のプラットホーム１０ａは、ネジ１０ｃをネジ孔７ｂとプラットホーム１０ａの貫通孔１０ｄに貫通させることで、皿軸受け７の上部に固定される。尚、皿軸受け７の形状は、ロードセル５と計量皿１０とを連結することが出来る形状であれば、上記実施例の形状に限らない。
【００２８】
電子回路基板６は、本実施例では、操作キー６ａ、演算手段６ｂ、表示手段６ｃの全てを実装するスペースを有する１枚基板により構成され、これら電子回路に電源を供給するための電源収容室（図示せず）の高さ相当分底上げされて、下ケース２の底面から上方に離間する位置に、底上げ分の高さの基板固定用スペーサ２ａ等を介して固定される。電源収容室には乾電池が収容され、下ケース２の裏面に設けられた電池ケース（図示せず）のカバー開閉により、乾電池の交換が裏面から行われる。
【００２９】
尚、電源収容室が直接地面に接触して、当該電源収容室から下ケース内部に水や塵埃等の外乱材が侵入するのを防止するため、本実施例のように、下ケース支持脚２ｂが計４本、下ケース２の裏面に一体形成され、下ケース２の底面自体が底上げされていてもよい。又、電子回路基板６は、１枚基板ではなく複数の基板により構成されていてもよい。
【００３０】
そして、計量皿１０に載せた被計量物の荷重値は、表面から操作可能な電源スイッチや計量開始キー等の操作キー６ａの操作検出後、荷重受けとしての皿軸受け７を介してロードセル５の出力として検出され、歪検出素子と接続されたブリッジ回路等により構成される演算手段６ｂで演算処理が行われた後、表示手段６ｃの液晶表示画面に表面から視認可能なようにデジタル表示される。
【００３１】
上ケース３は、本実施例では下ケース２同様、合成樹脂製であるが、下ケース２に対向して設置され、下ケース２に支持されたロードセル５及び電子回路基板６の実装部品を密閉して下ケース２内部への水や塵埃等の外乱材の侵入を防止する略平面的なドーム型に形成されている。上ケース３がこのような略平面的な形状をしていることにより、秤本体１１は小型化されることが可能となる。
【００３２】
本実施例に於ける上ケース３の外周枠３ａの底部には、凹部（図示せず）が設けられ、当該凹部にはパッキン３０が密着状態で嵌装される。そして、図３に示すように、上ケース３の外周枠３ａと下ケース２の外周枠２ｃとを重ね合わせることで、下ケース２に固定されたロードセル５及び電子回路基板６が容易に密閉される。下ケース２及び上ケース３は、合成樹脂製であるので、凹部等の加工形成が容易に行われ、低コストである。
【００３３】
従来は、ロードセル５及び電子回路基板６を一体的に覆い密閉するような上ケース３が存在せず、又、ロードセル５の近傍に配置されやすい演算手段６ｂと、外観設計上の制約により位置決定がされやすい表示手段６ｃとは、別々の基板に分離して実装されるため、防水防塵のためには、演算手段６ｂと表示手段６ｃをそれぞれ個別に密閉する構造が必要であった。しかし、本実施例のように、ロードセル５及び電子回路基板６が上ケース３によって一体的に覆われ密閉されることにより、密閉構造を従来のように分離する必要性はなくなり、秤の組立て作業が簡単に行なえる。
【００３４】
尚、本実施例では、下ケース２と上ケース３とは、図２に示すように、４個のネジ３ｂにより固定される。上ケース３には４個の取付孔３ｃが各々略等間隔となるように設けられ、下ケース２には取付孔３ｃの同心上に設けられたネジ孔を有する円筒状スペーサ２ｄが立設している。下ケース２と上ケース３とをパッキン３０を介して重ね合わせた上で、上方から取付孔３ｃ及び円筒状スペーサ２ｄのネジ孔にネジ３ｂを挿入することによって、ネジ３ｂの頭は取付孔３ｃ内の係止平面（図示せず）上に係止し、下ケース２と上ケース３とは固定一体化される。
【００３５】
カバー４は、上ケース３を覆う金属材料ないしは表面に金属メッキが施された樹脂材料で構成されており、図２に示すように、上ケース３に重ね合わせることが可能なよう、上ケース３の外形とほぼ同じ形状で上ケース３を上方から一体的に覆う、略平面的なドーム型に形成されている。
【００３６】
本実施例に於けるカバー４の役割は、肉、魚等の食材や農産物の計量に用いることが出来、これら食材や農産物による臭いや汚れが付着しづらく、洗浄や清掃が容易で衛生的な秤とすること、上ケース３の露出を避け美観性を維持すること、下ケース２及び上ケース３に支持されたロードセル５や電子回路基板６を簡易的に保護することである。
【００３７】
本実施例では、図２に示すように、上ケース３には、４個のネジ４ａの挿入用凹部３ｊが各々略等間隔となるように形成されている。凹部３ｊには、ネジ切り孔を有する柱状金属スペーサ（図示せず）が圧入されており、当該柱状金属スペーサは凹部３ｊを上方から閉塞している。カバー４は、当該ネジ切り孔と同心上に設けられたネジ孔４ｂからネジ４ａを挿入することにより、上ケース３に固定される。尚、凹部３ｊは、上ケース３を貫通しない構造となっており、上ケース３に一体形成されるので、カバー４のネジ孔４ｂから下ケース２の内部に外乱材が侵入する恐れはない。
【００３８】
このように、カバー４には、防水、防塵、抜け止め固定、密閉等のための特別な機構を設ける必要がなくネジ止め等の簡単な固定手段により下ケース２及び／又は上ケース３と固定されればよく、又、上ケース３の上方から被せることさえ出来ればよいので、本発明の秤に於いては、カバー４の設計自由度が高まる。そして、使用者によるカバー４の交換が容易に行なえ、カバー４を洗浄等して清掃することも出来る衛生的な秤が実現される。
【００３９】
又、従来の秤では、外部に露出するカバーそのものが防水防塵用に機能していたため、カバーを略平面状とすると、カバー上に水が溜まり外乱材が侵入しやすくなるので防水防塵機能を満足しない場合もあったが、本発明の秤に於いては、カバー４は防水防塵の役割を負う必要がなく、略平面状とすることが出来るので、秤本体１１の小型化、コンパクト化が図られる。
【００４０】
更に、本実施例では、カバー４の外周縁は上ケース３の外周縁よりも起立しており、上ケース３全体を上方から覆うようになっている。これにより、カバー４の外周縁の起立部が下ケース２の外周枠２ｃに当接して固定され、上ケース３及び下ケース２支持物（ロードセル５及び電子回路基板６）を衝撃から保護することが出来る。
【００４１】
本実施例のカバー４は水に強いステンレス製であり、切断工程を含む板金のプレス成形により簡単に量産可能である。ステンレス製を採用することにより、耐水性、耐錆性、耐熱性、耐久性、耐食性、耐薬品性等に於いて優れた秤となる。又、ステンレス特有の金属光沢により、従来の樹脂製カバーでは得られない落ち着いた質感、高級感、及び清潔感が得られる。更に、本実施例のカバー４は高剛性を有しているから頑丈であり、酷使にも耐えられる。
【００４２】
尚、カバー４は、ステンレスの他、アルミニウムダイキャストやその他の高剛性及び耐食性を有する金属材料ないしは、これら金属材料が表面に加工された樹脂材料で構成されてもよいが、美観性維持のため、上皿１０ｂと同質材料で成形されていることが望ましい。
【００４３】
一方、上ケース３は、カバー４に覆われて外から視認出来ない状態となるので、下ケース２内部への外乱材の侵入を防止することに特化して設計されればよく、嵌め込み構造やパッキン３０等を介装した密閉構造の加工形成が容易で安価な樹脂の選択がより可能になる。
【００４４】
本実施例の上ケース３は、皿軸受け７の頂部７ｃを貫通させる円形の開口部３ｄを有している。開口部３ｄは、皿軸受け７の上下移動が可能なように頂部７ｃの外径よりも大きく開口している。そのため、皿軸受け７と開口部３ｄの隙間から下ケース２の内部に外乱材が侵入する可能性があり、パッキン３０により下ケース２を密閉した意味がなくなる。そこで、本実施例の上ケース３には、開口部３ｄを覆うダイヤフラム８がＯリング９とともに取付けられ、上ケース３による下ケース２の密閉性が維持されるようになっている。
【００４５】
ダイヤフラム８は軟質ゴム等の伸縮性、防水性を有する合成樹脂製であり、詳細は図４の縦断面図及び図５のダイヤフラム８の斜視図に示すように、通し孔８ａと蛇腹８ｂと基部８ｃにより構成される。
【００４６】
通し孔８ａは、ダイヤフラム８の中央部に設けられ、皿軸受け７を密着状態で貫通させる。本実施例では、通し孔８ａの外周縁は、図４に示すように、皿軸受け７の外周に形設された環状凹溝７ｄの縦方向幅Ａと略同一幅を有する起立部となっている。当該起立部が環状凹溝７ｄに密着状態で嵌着され、通し孔８ａと皿軸受け７の隙間から下ケース２内部への外乱材の侵入を防止するようになっている。通し孔８ａの起立部は確実に環状凹溝７ｄ内に嵌着固定されるので、これによりダイヤフラム８の抜け外れが防止され、外乱材が侵入する恐れがない。尚、通し孔８ａの起立部の幅（高さ）は、環状凹溝７ｄの幅Ａ以下であればよい。
【００４７】
蛇腹８ｂは、通し孔８ａの外周に設けられ、皿軸受け７の上下移動に対する負荷を作用させることのないよう、可撓性を有し伸縮自在に構成される。
【００４８】
基部８ｃは、蛇腹８ｂの外周に設けられ、下面に環状突起８ｄを有しており、上ケース３に形設された環状溝３ｅに密着状態で嵌着して上ケース３に取付けられるようになっている。尚、環状溝３ｅは、ダイヤフラム８を上ケース３に嵌着する際の位置決めの役割をも担う。
【００４９】
更に本実施例の基部８ｃは、上面に、下面と同様の環状の突起８ｅを有している。この突起８ｅにより、上方からネジ４ａにより上ケース３とカバー４とを固定する際に突起８ｅがカバー４と接触して弾性係合し、基部８ｃが上ケース３に圧着するとともに、上ケース３とカバー４の隙間に外乱材が侵入するのを防止するようになっている。
【００５０】
つまり、本実施例のダイヤフラム８は、ネジや被取付部材を介すことなく密着ないしは圧着により簡単に上ケース３に取付けられ固定されるので、秤の組立て作業が簡素化される。又、ダイヤフラム８は、取付けに際しネジを不要とし、上ケース３の開口部３ｄを覆い下ケース２内部への外乱材の侵入を防止するので、ネジ孔から外乱材が侵入する恐れや、ネジが錆びる恐れがない。
【００５１】
更に本実施例のダイヤフラム８は、図５に示すように、基部８ｃから延在する突片８ｆを４個備えており、４個の突片８ｆは各々等間隔に配置されている。これら突片８ｆも又、図４に示すように、上ケース３に形設された凹溝３ｆに密着状態で嵌着される。これにより、ダイヤフラム８の位置決め、取付けがより円滑に行われる。
【００５２】
更に、突片８ｆの終端部の下面には、図４、図５に示すように、突片８ｆに一体形成された又はダイヤフラム８の成形後に接着ないしは圧着固定された凸部８ｇが形成されている。この凸部８ｇも又、上ケース３に形設された凹溝３ｇに密着状態で嵌着されるので、ダイヤフラム８の取付けが確実に行われる。
【００５３】
本実施例では、凸部８ｇに嵌合する凹溝３ｇ内には、図４に示すように、上述した、下ケース２と上ケース３とを固定するネジ３ｂの取付孔３ｃが貫通形成されており、凸部８ｇは下面が開口しネジ３ｂの頭を上方から収容閉塞することが出来る筒状に形成されている。つまり、本実施例の凸部８ｇは、ネジ３ｂ及び取付孔３ｃを上方から閉塞するので、上ケース３とダイヤフラム８とを密着固定させる機能だけでなく、取付孔３ｃから下ケース２内部への外乱材侵入を防止する機能をも備えており、これにより完全な意味での防水、防塵が図られる。又、ネジ３ｂの頭は凸部８ｇで覆われるので、ネジ３ｂが錆びる恐れがなく、秤の品質、性能が長く維持される。
【００５４】
尚、本実施例の凹溝３ｇの周囲下方には、図４に示すように、筒状のボス３ｈが上ケース３に一体形成されている。又、下ケース２の円筒状スペーサ２ｄは、ボス３ｈの筒内に嵌合係止することによって、下ケース２と上ケース３とを固定する際の位置決めが行われるように形成されている。
【００５５】
更に、上ケース３には、図２や図３に示すように、ロードセル５及び電子回路基板６の密閉状態を維持し、かつ、ロードセル５の内外気圧差をなくすための防水防塵通気性部材３１が、上ケース３の上面に設けられた孔３ｉを覆うようにして設けられている。
【００５６】
本実施例の防水防塵通気性部材３１は、日東電工製のミクロテックス（登録商標）である。ミクロテックスは、１ｃｍ２あたり数億個の微細孔を有する四フッ化エチレン樹脂多孔質膜であり、防水性、防塵性、通気性を兼ね備えている。
【００５７】
つまり、このような防水防塵通気性部材３１を上ケース３の孔３ｉを覆うようにして設けることにより、下ケース２と上ケース３により密閉された空間の内圧が、計量皿１０に連結された皿軸受け７の上下移動に伴い圧縮されても、防水防塵通気性部材３１を介して外部に素早く発散するので、密閉されたロードセル５の内外の気圧が常に同一となり、内外気圧不均衡に伴う計量誤差を解消することが出来る。しかも、孔３ｉは防水防塵通気性部材３１で覆われているので、下ケース２内部への外乱材の侵入が防止され、完全な防水、防塵が図られる。又、従来のように外乱材の侵入を防止するための背の高い通気用部材等を専用に設ける必要がないので、秤本体１１の小型化が図られる。
【００５８】
本実施例では、ロードセル５の計量誤差をより最小限に抑えるため、上ケース３のうち、ロードセル５の上方でかつ皿軸受け７の近傍となるような位置に、直径３０ｍｍの円形の孔３ｉを３個設け、これら３個の孔３ｉは略等間隔となるように配置されている。又、防水防塵通気性部材３１は、それぞれの孔３ｉの外周縁に糊付けされている。尚、孔３ｉの大きさ、配置場所、形状、数、防水防塵通気性部材３１の接着方法はこれら実施例に限定されない。
【００５９】
但し、孔３ｉは、上記実施例のように面積をできるだけ広くとり、又ロードセル５の付近に均等に複数個設けられたほうが、圧縮された内圧が外部に効率よくかつ素早く逃げ、計量結果のレスポンスが向上するので、より精密な秤が実現される。又、防水防塵通気性部材３１は、孔３ｉとの接着面の周縁又は全体が予め糊付けされたシール状になっていれば、孔３ｉへの糊付け作業が不要となり、防水防塵通気性部材３１の取付け作業性が向上する。更に、孔３ｉ及び防水防塵通気性部材３１の形状は円形である方が、各々の加工が容易に行なえる。
【００６０】
防水防塵通気性部材３１の他の実施例としては、ジャパンゴアテックス社製のゴアテックス（登録商標）が挙げられる。ゴアテックスは、フッ素樹脂の中でも最も化学的安定性の高いポリテトラフロロエチレン（ＰＴＦＥ）を延伸加工して得られた微細な連続多孔質構造を持つ材料であり、上記ミクロテックス同様、防水性・防塵性・通気性を有する。尚、防水防塵通気性部材３１は、防水性、防塵性、通気性を兼ね備えた薄膜部材であればよく、ミクロテックスやゴアテックスに限らない。
【００６１】
尚、日東電工のカタログ類には、ミクロテックスが自動車部品、携帯電話、家電製品、ＯＡ機器、屋外機器等の内圧調整用フィルタとして用いられる旨記載されているものの、本発明の秤１のような計量機器への応用例は記載されていない。又、荷重検出機構の計量誤差の解消を目的として上ケース３に意図的に孔３ｉを設けることについては一切記載されていない。
【００６２】
更に、孔３ｉを電源や回路（演算手段６ｂ）や表示手段６ｃ等の発熱しやすい箇所（発熱部）の付近（例えば上方）に設け、孔３ｉを防水防塵通気性部材３１で覆うことによって、上述した防水、防塵、通気のみならず、外部への放熱効果をも得ることが出来る。これにより、従来のように、専用のヒートシンクや放熱構造を設けたり、ロードセルの計量誤差原因となりやすい発熱部の存在する電子回路基板をロードセルとは離れた別の位置に収容するような複雑な構造を採用する必要がなくなり、簡単に内部蓄熱を解消することが出来る。
【００６３】
孔３ｉの大きさ、配置場所、形状、数等は、発熱部の位置や発熱量に応じて自由に設計することが出来るが、上ケース３の強度維持や加工費削減のためには、上述した通気用の孔と、放熱用の孔とが兼用されることが望ましい。
【００６４】
尚、本実施例では、上ケース３をカバー４で覆う構造を採用しているが、カバー４が孔３ｉを覆ったとしても、本実施例のカバー４は金属製であるから放熱効果はより高まる。又、カバー４のない秤であっても、下ケース２と上ケース３の密閉構造により防水、防塵機能が満足され十分に秤としての実用性を備えうるので、放熱、通気、計量誤差解消を目的とした秤にあってはカバー４の有無は問わない。
【００６５】
又、本実施例のダイヤフラム８を備えた秤１に於いては、孔３ｉは、ダイヤフラム８に設けられていてもよい。例えば、伸縮可能なように折り畳まれた防水防塵通気性部材３１によって蛇腹８ｂ部分が構成されていてもよいし、上ケース３に密着しないような基部を蛇腹８ｂの外周に設け、当該基部に孔３ｉを設け、孔３ｉに防水防塵通気性部材３１を接着、圧着、インサート成形、アウトサート成形等により固定してもよい。
【００６６】
以上説明したように本実施例の上ケース３は防水防塵機能を備えていることから、カバー４には自由に開口部を設けることが出来る。本実施例のカバー４の頂部には、図２に示すように、上ケース３の開口部３ｄ同様、皿軸受け７の頂部７ｂを貫通させ皿軸受け７の上下移動を可能とする範囲の開口部４ｃが設けられている。上ケース３とカバー４を固定すると、図４に示すように、ダイヤフラム８の基部８ｃの上面とカバー４の下面とが密着ないしは圧着し、開口部４ｃからはダイヤフラム８の蛇腹８ｂと皿軸受け７の頂部７ｃが露出する。そして、計量皿１０がネジ１０ｃを介して皿軸受け７と連結固定され、秤が組立てられる。
【００６７】
更に、カバー４は、図２に示すように、表示手段６ｃの液晶画面の上方に相当する部分が略楕円形に開口した開口部４ｄが形成されている。この開口部４ｄから露出する上ケース３も同様に液晶画面の上方に相当しており、表示手段相当部分３ｋを形成している。当該表示手段相当部分３ｋは、樹脂製の上ケース３の他の部分と一体形成されているが、当該部分３ｋは研磨等により透明に成形されており、又、上ケース３とカバー４の嵌合位置決めのため、上ケース３の他の表面よりも突出している。
【００６８】
つまり、上ケース３は表示手段６ｃの液晶画面の保護の役割を担い、上ケース３の表示手段相当部分３ｋを介して内部表示を外部に透光させ、計量者に視認させることが出来る。表示手段相当部分３ｋは、上ケース３として他の部分と一体形成されているから、別途表示手段の保護用カバー等を設けたり、表示手段６ｃをその他の電子部品と分離して密閉する構造を採用する必要がなく、組立てが容易である。
【００６９】
更に、上ケース３とカバー４を固定した後、又は、下ケース２と上ケース３を固定した後、表示手段相当部分３ｋにシール３２を貼付け、液晶画面以外の下ケース２支持物を外部から隠し覆うことが出来る。シール３２は、表示手段６ｃの液晶画面に相当する矩形部分３２ａが透明になっているか又は開口しており、更に、操作キー相当部分３２ｂが枠囲い等されており、複数の操作キー６ａの識別が容易になる。又、本実施例の上ケース３は上面が略平面状になっているので、シール３２が撚れたり湾曲することなく、容易に上ケース３上に密着させ貼付けられる。
【００７０】
又、上ケース３の操作キー相当部分３２ｂに、操作キー６ａを露出させるための開口部や、操作キー６ａの周囲が開口した可動部が設けられている場合には、このシール３２で当該開口部や可動部が覆われ密封されるので、当該開口部や可動部から下ケース２内部に外乱材が侵入する恐れはない。
【００７１】
以上、ダイヤフラム付きの比較的小型な電子秤の実施例につき説明したが、本発明の秤は、上記実施例で説明した構成要件の全てを備えた秤に限定されるものではなく、各種の変更及び修正が可能であり、個々の目的実現に必要な構成要件を任意に組み合わせて、本発明の秤を構成することが可能である。又、かかる変更及び修正についても本発明の特許請求の範囲に属することは言うまでもない。
【００７２】
例えば、上述した実施例では、上ケース３とカバー４とは別個独立に形成され、上ケース３が下ケース２に、カバー４が上ケース３に、順次組立てられていたが、樹脂製上ケース３がインサート成形又はアウトサート成形により金属製カバー４と一体的に成形されていてもよく、これにより秤１の組立て工数が削減される。尚、この場合、上ケース３は、外周枠３ａがカバー４の外周枠を覆うようになり、上ケース３の表示手段相当部分３ｋはカバー４の孔４ｄに嵌入する。そして、ダイヤフラム８や防水防塵通気性部材３１は、上ケース３の下面から取付けられる。
【００７３】
又、本発明の秤は、荷重検出機構を有する計量装置や荷重計であれば、実施例で説明した電子秤の他、体重計、料金秤、個数計、台秤、身長体重計等であってもよく、その名称は問わない。
【図面の簡単な説明】
【００７４】
【図１】本発明にかかる秤の一実施例を示す外観斜視図である。
【図２】本発明にかかる秤の一実施例を示す分解斜視図である。
【図３】本発明にかかる秤の一実施例を示す一部組立斜視図である。
【図４】本発明にかかる秤の一実施例を示す一部縦断面図である。
【図５】ダイヤフラムの一実施例を示す斜視図である。
【符号の説明】
【００７５】
１：秤
１０：計量皿
１０ａ：プラットホーム
１０ｂ：上皿
１０ｃ：ネジ
１０ｄ：貫通孔
１１：秤本体
２：下ケース
２ａ：基板固定用スペーサ
２ｂ：下ケース支持脚
２ｃ：外周枠
２ｄ：円筒状スペーサ
３：上ケース
３ａ：外周枠
３ｂ：ネジ
３ｃ：取付孔
３ｄ：開口部
３ｅ：環状溝
３ｆ：凹溝
３ｇ：凹溝
３ｈ：ボス
３ｉ：孔
３ｊ：凹部
３ｋ：表示手段相当部分
３０：パッキン
３１：防水防塵通気性部材
３２：シール
３２ａ：矩形部分
３２ｂ：操作キー相当部分
４：カバー
４ａ：ネジ
４ｂ：ネジ孔
４ｃ：開口部
４ｄ：開口部
５：ロードセル
６：電子回路基板
６ａ：操作キー
６ｂ：演算手段
６ｃ：表示手段
７：皿軸受け
７ａ：ベース部
７ｂ：ネジ孔
７ｃ：頂部
７ｄ：環状凹溝
８：ダイヤフラム
８ａ：通し孔
８ｂ：蛇腹
８ｃ：基部
８ｄ：環状突起
８ｅ：突起
８ｆ：突片
８ｇ：凸部
９：Ｏリング
【図１】
2005140626.tif 000003
【図２】
2005140626.tif 000004
【図３】
2005140626.tif 000005
【図４】
2005140626.tif 000006
【図５】
2005140626.tif 000007